(57)【要約】【課題】スイングプレーンを確認するための棒状の指標を簡易に持ち運び使用できるようにすることを課題とする。【解決手段】ゴルフバッグの側面もしくは上縁に固定されるゴルフバッグ用指標保持具Ｘとして、ゴルフバッグの側面もしくは上縁に固定するための係合手段３０と、前記係合手段３０に固定される、ゴルフバッグを立てた状態において所定の水平線とほぼ平行な回転軸周りに回動し、２以上の回動位置で固定可能に形成される回転部１０と、前記回転部１０に設けられる、所定の棒状からなる指標を前記水平線にほぼ垂直な方向に向くように保持固定する棒体保持部２０とを設ける。【選択図】  図１
2009118963.tif 000002
【特許請求の範囲】
【請求項１】
ゴルフバッグの側面もしくは上縁に固定される指標保持具であって、
ゴルフバッグの側面もしくは上縁に固定するための係合手段と、
前記係合手段に固定される、ゴルフバッグを立てた状態において所定の水平線とほぼ平行な回転軸周りに回動し、２以上の回動位置で固定可能に形成される回転部と、
前記回転部に設けられる、所定の棒状からなる指標を前記水平線にほぼ垂直な方向に向くように保持固定する棒体保持部と
を有するゴルフバッグ用指標保持具。
【請求項２】
請求項１に記載の係合手段に係合し、これを固定する被係合手段が設けられたゴルフバッグ。
【請求項３】
ゴルフバッグを立てた状態において、鉛直に当該ゴルフバッグに固定される所定の棒体からなる支持干に固定される指標保持具であって、  
前記支持干外周に上下に摺動可能かつ２以上の摺動位置で固定可能に係合する係合部と、
前記支持干に固定される、ゴルフバッグを立てた状態において所定の水平線とほぼ平行な回転軸周りに回動し、２以上の回動位置で固定可能に形成される回転部と、
前記回転部に設けられる、所定の棒状からなる指標を前記水平線にほぼ垂直な方向に向くように保持固定する棒体保持部と
を有するゴルフバッグ用指標保持具。
【請求項４】
前記支持干はゴルフクラブである請求項３に記載のゴルフバッグ用指標保持具。
【請求項５】
請求項３又は４に記載の支持干を固定する支持干固定手段を有するゴルフバッグ。
【請求項６】
ゴルフバッグ本体と、
前記ゴルフバッグ本体の側面もしくは上縁に固定され、ゴルフバッグを立てた状態において所定の水平線とほぼ平行な回転軸周りに回動し、２以上の回動位置で固定可能に形成される回転部と、
回転部に設けられる、所定の棒状からなる指標を前記水平線にほぼ垂直な方向に向くように保持固定する棒体保持部と
を有する指標保持具付ゴルフバッグ。
【発明の詳細な説明】
【技術分野】
【０００１】
本発明はゴルフクラブを運ぶゴルフバッグに固定されるスイングの指標を保持する器具に関する。
【背景技術】
【０００２】
ゴルフスイングにおいて、スイング中にクラブヘッドが描く面であるスイングプレーンが適正なものであることは重要である。スイングプレーンは平面であるために、練習器具は大掛かりなものになる傾向があるが、下記特許文献に記載の発明では、スイングプレーンの投影は後方からみると線分になることに着目し、練習者の後方に理想のスイングプレーンの投影線に合致する角度を有する棒状の指標を設けることが示されている。当該特許文献には、スイング指標器具として、台座の上に立設された柱体の先端に回動可能に棒状の基準指標部材が対抗する方向に設けられた構成が示されている。
【特許文献１】特開２００６−１５８４５３号
【発明の開示】
【発明が解決しようとする課題】
【０００３】
しかしながら、特許文献１に記載の発明は、専用品であり指標として機能するには基準指標部材を支持する台座や柱体にはある程度の大きさがと強さが要求される。従って、当該スイング指標器具は、練習者がゴルフ練習場などにゴルフバッグなどとともに持ち運ぶことは難しく、個々の練習者が好みの場所で手軽に練習に用いることには容易ではない。
本発明は、このような問題に鑑み、スイングプレーンを確認するための棒状の指標を簡易に持ち運び使用できるようにすることを課題とする。
【課題を解決するための手段】
【０００４】
上記課題を解決するために、本発明は次のような構成を有する。
請求項１に記載の発明は、ゴルフバッグの側面もしくは上縁に固定されるゴルフバッグ用指標保持具であって、ゴルフバッグの側面もしくは上縁に固定するための係合手段と、前記係合手段に固定される、ゴルフバッグを立てた状態において所定の水平線とほぼ平行な回転軸周りに回動し、２以上の回動位置で固定可能に形成される回転部と、前記回転部に設けられる、所定の棒状からなる指標を前記水平線にほぼ垂直な方向に向くように保持固定する棒体保持部とを有する。
請求項２に記載の発明は、請求項１に記載の係合手段に係合し、これを固定する被係合手段が設けられたゴルフバッグである。
【０００５】
請求項３に記載の発明は、ゴルフバッグを立てた状態において、鉛直に当該ゴルフバッグに固定される所定の棒体からなる支持干に固定されるゴルフバッグ用指標保持具であって、前記支持干外周に上下に摺動可能かつ２以上の摺動位置で固定可能に係合する係合部と、前記支持干に固定される、ゴルフバッグを立てた状態において所定の水平線とほぼ平行な回転軸周りに回動し、２以上の回動位置で固定可能に形成される回転部と、前記回転部に設けられる、所定の棒状からなる指標を前記水平線にほぼ垂直な方向に向くように保持固定する棒体保持部とを有するゴルフバッグ用指標保持具である。
請求項４に記載の発明は、請求項３に記載のゴルフバッグ用指標保持具において、前記支持干はゴルフクラブにより構成されるものである。
請求項５に記載の発明は、請求項３又は４に記載の支持干を固定する支持干固定手段を有するゴルフバッグである。
【０００６】
請求項６に記載の発明は、ゴルフバッグ本体と、前記ゴルフバッグ本体の側面もしくは上縁に固定され、ゴルフバッグを立てた状態において所定の水平線とほぼ平行な回転軸周りに回動し、２以上の回動位置で固定可能に形成される回転部と、回転部に設けられる、所定の棒状からなる指標を前記水平線にほぼ垂直な方向に向くように保持固定する棒体保持部とを有する指標保持具付ゴルフバッグである。
【発明の効果】
【０００７】
請求項１に記載の発明は、ゴルフバッグに、所定の棒状からなる指標を水平線に向く回動軸に、ほぼ垂直の方向に向く方向に回動可能かつ２以上の回動位置で固定可能に取り付けることができるので、指標を保持する土台をゴルフバッグにより形成しすることでゴルフバッグ用指標保持具を小さくでき、棒状の指標はゴルフバッグに収納することができる。これにより、簡易にスイング用の指標を持ち運び、好みの位置に指標を設けることができる。
請求項２に記載の発明は、ゴルフバッグにゴルフバッグ用指標保持具の係合手段に係合する専用の被係合手段を設けることで、係合手段をゴルフバッグの既存の構造に係合させるようにする必要を回避し、被係合手段と係合手段の設計の自由度を高めることができる。
請求項３に記載の発明はゴルフバッグ用指標保持具をゴルフバッグに固定される支持干に上下に摺動可能に固定できるので、指標の高さを調整することができる。
請求項４に記載の発明は、支持干をゴルフクラブにより構成することで、ゴルフバッグ側で支持干を着脱可能に形成すれば、ゴルフバッグで運んできたゴルフクラブをそのまま支持干として使用することができる。
請求項５に記載の発明は、支持干固定手段を有することで、支持干をゴルフバッグに収納できるものとすれば、支持干を簡易に運搬し、使用することができる。
請求項６に記載の発明は、棒状の指標を保持する指標保持具がゴルフバッグに設けられているので、ゴルフバッグ内に指標を入れて運搬するようにすれば、ゴルフバッグを利用して容易に指標を運搬し、好みの位置で指標を設置することができる。
【発明を実施するための最良の形態】
【０００８】
以下、本発明の実施形態について、図面を参照しながら説明する。
（実施形態１）
図１に本実施形態１に係るゴルフバッグ用指標保持具Ｘの斜視図を示す。ゴルフバッグ用指標保持具Ｘは、回転部１０と、棒体保持部２０と、係合部３０とから構成される。
回転部１０は、固定軸１１、第１回転筒１２、第２回転筒１３、基準ブロック１４、第１回転筒摘み１５、抜け止め１６とから構成される。
固定軸１１は、第１回転筒１２、第２回転筒１３が嵌る部分の外径がやや小さく形成される円柱体で水平方向に突出するように係合部３０に固定されている。固定軸１１の先端中心には図示しないねじ穴が形成されている。
第１回転筒１２、第２回点筒１３は、円筒体であり内周面に固定軸１１の先端側に摺動可能にややきつく外嵌するシリコンゴム製のリング体が固定されている。これにより第１回転筒１２、第２回点筒１３は回転軸１１に対して、一定以上の力を加えることで回動させることができるとともに、力を加えない状態で固定することができる。第１回転筒１２の上面、後方側には指針となる頂点が後方に向う三角状の基準表記１２ａが設けられ、第２回転筒１３の上面前方側の外周には、１度ごとに刻まれた目盛線と、１０度ずつ表示される角度表記からなる目盛１３ａが表示される。これにより、第１回転筒１２と第２回転筒１３との相対的な角度を知ることができる。さらに、第１回転筒１２の上面前方側の外周には図示しない雄ネジが形成されている。
【０００９】
基準ブロック１４は、正面視正方形状の扁平な直方体で、中央に第１回転筒１２に通る丸穴が形成され、丸穴の内周には第１回転筒１２の外周に回動可能にややきつく外嵌するリング体が固定されている。これにより基準ブロック１４は、第1回転筒１２の回りを一定の力を加えることで回動させることができるとともに、力を加えない状態で第１回転当１２の回りで固定することができる。また、基準ブロック１４の上面には水平器１４ａとして丸型気泡管が取り付けられている。さらに、基準ブロック１４の正面上方には下方に頂点が向かう三角状の基準表記１４ｂが表示されている。
第１回転筒摘み１５は、中心の図示しない穴を除いて前面が閉じられた円筒体からなり、内周面に第１回転筒１２の先端に形成される雄ねじに係合する雌ねじが形成されている。この雌ねじにより第１回転筒１２の先端に係合することにより、基準ブロック１４の抜け止めの役割を果たす。第１回転筒摘み１５の外周面には１度ごとに刻まれた目盛線と、10度ずつ表示される角度表記からなる目盛１５ａが表示されている。これにより、第１回転筒１２と第１回転筒摘み１５とは一体に固定されているので、第１回転筒１２と基準ブロック１４との相対的な角度を知ることができる。
【００１０】
抜け止め１６は、一般的なねじにより形成され、第１回転筒摘みの図示しない前面中心の穴を通って、固定軸１１先端の図示しないねじ穴に係合することにより、第１回転筒摘み１５、基準ブロック１４、第１回転筒１２、第２回転筒１３が抜けることを防止している。なお、抜け止め１６のヘッド部が第１回転筒摘み１５を押圧しない程度にねじの長さが設定されている。
棒体保持部２０は、第１回転筒１２の側面の対向する位置に、固定軸１１の長手方向に対して垂直方向に突出するように２つ設けられる円筒体からなる第１棒体保持部２１と、第２回転筒１１の側面に固定軸１１の長手方向に対して垂直方向に突出するように設けられる円筒体からなる第２棒体保持部２２とから構成される。
係合部３０は、台座部３１、締結ベルト３２、フック部３３とから構成される。台座部３１は正面視正方形状の前後に扁平な直方体であり、正面に回転部１０の固定軸１１が突出するように固定されている。締結ベルト３２は台座部３１の背面側から左右方向に固定される帯状のベルト体からなり、ベルト体の長さを調節し固定するためのラダーロック３２ａが設けられている。フック部３３はゴルフ用のゴルフバッグの上縁に係合する幅をもつ下側が開放された断面コの字状の金具であり、台座部３１の背面に固定される。
【００１１】
次に、以上のような構成を有するゴルフバッグ用指標保持具Ｘの使用方法について説明する。使用者は、まず、打席の後方の適当な位置に上部のカバーを取り外したゴルフバッグを立てて設置する。次に、ゴルフバッグ用指標保持具Ｘの係合部３０のフック部３３を、固定軸１１が打ち出し方向に向くように、ゴルフバッグの上縁に掛け、締結ベルト３２をゴルフバッグ上縁外周に回してラダーロック３２ａを移動させて締め付けることにより、ゴルフバッグ用指標保持具Ｘをゴルフバッグに固定する。その後、棒体保持部２０を構成する第１棒体保持部２１及び第２棒体保持部２２に指標となる棒体を差し込み固定する。図２にゴルフバッグＢに、ゴルフバッグ用指標保持具Ｘを取り付け、指標Ｓを固定した状態を表す正面図を示し、図３にこの状態の側面図を示す。指標Ｓは硬質の丸棒体であって、第１棒体保持部２１及び第２棒体保持部２２を構成する筒内にきつく嵌合する太さを有し、外周に目印となる縞模様が描かれている。指標Ｓはゴルフクラブよりも短く形成されることでゴルフバッグ内に入れて運ぶことができる。
【００１２】
その後、使用者は第１回転筒１２及び第２回転筒１３を回転させ、使用するクラブに合わせて指標Ｓの角度調整を行う。なお、第１回転筒１２に固定される指標Ｓはスイングプレーンの投影線を示すものであり、第２回転筒１３に固定される指標Ｓは、使用者のアドレス時の背骨の角度を示す。最初に角度調整を使う場合は、基準ブロック１４に設けられている水平器１４ａを見ながら基準ブロック１４を回転させて基準ブロック１４の上面を水平に調整する。この状態を維持しながら、第１回転筒１２及び第２回転筒１３を回転させ、何度かスイングをして角度が妥当かどうかを判断しながら適当な角度を決定し、固定する。この際、第１回転筒１２と基準ブロック１４との相対的な角度を基準ブロックの基準表記１４と第１回転筒１２の目盛１５ａとから読み取り記録しておく。さらに、第２回転筒１３と第１回転筒１２との相対的な角度も第１回転筒１２の基準表記１２ａと第２回転筒１３の目盛１３ａとから読み取り記録しておく。このように記録しておくことで、２回目以降には数値により角度を設定することができる。また、基準ブロック１４を水平にあわせるようにすることで、ゴルフバッグを設置する場所が水平でなくても、必ず、指標の角度は水平に対するものとなり、ゴルフバッグの設置場所に関わらず常に同じ指標の角度を実現することができる。
【００１３】
この状態で、使用者は第２回転筒１３に固定される指標Ｓに背中の角度を合わせ、バッグスイングの際にクラブヘッドが第１回転筒１２に固定される指標Ｓが示すラインに沿って上がっていくことを確認しながら、もしくは第３者に確認してもらいながらスイング練習を行う。
このように本ゴルフバッグ用指標保持具Ｘは、ゴルフバッグを使用してスイングプレーンの練習用の指標を設置することができるので、持ち運びが容易であり、使用者が望む場所で自由に使用することができる。
【００１４】
（実施形態２）
図４に実施形態２に係るゴルフバッグ用指標保持具Ｙ１を示す。当該ゴルフバッグ用指標保持具Ｙ１は、回転部１０と、棒体保持部２０と、係合部５０とから構成される。回転部１０と棒体保持部２０は実施形態１に係るゴルフバッグ用指標保持具Ｘと同様の構成であるので説明を省略する。なお、図４では係合部５０を表出させるために棒体保持部２０の一部を省略している。係合部５０は、弾性のある合成樹脂により形成されるリング体の一部を切り欠き、平面視Ｃ字状に形成されたものであり、回転部１０の固定軸１１後端に固定される。係合部５０は内部に支持干となるゴルフクラブのシャフトがきつく嵌合する程度の切り欠きのある円筒状の空間を有し、切り欠き部分の幅はゴルフクラブよりも若干細く、弾性変形することでゴルフクラブのシャフトがかろうじて通れる幅に設定される。このような構成により、係合部５０の切り欠きの開口からゴルフクラブのシャフトを押し付けると切り欠きが弾性変形をして開き、内部の空間内にシャフトを移動させて、この位置で嵌合固定させることができる。また、弾性変形が可能なので、力を加えると係合部５０がゴルフクラブのシャフトに係合した状態で、シャフトの長手方向に摺動させることができ、また任意の位置で固定させることができる。
【００１５】
図５に本実施形態に係るゴルフバッグＹ２の側面図を示し、図６にゴルフバッグＹ２の正面図を示し、図７にゴルフバッグY２の平面図を示す。ゴルフバッグＹ２はバッグ本体８０、上部シャフト保持部６０、下部シャフト保持部７０とから構成される。バッグ本体８０は一般的なゴルフクラブバッグとほぼ同様の構成を有するが、上部シャフト保持部６０、下部シャフト保持部７０を固定する部分のみ加工が施されている。上部シャフト保持部６０は、ゴルフクラブシャフトがきつく嵌合する輪の前方にゴルフクラブシャフトよりやや狭い切り欠きが形成される弾性を有するゴム体の狭持部材が板体の前面に取り付けられた構造を有する保持部本体６１と、保持部本体６１をバッグ本体８０上部側に伸縮可能に固定する２本の棒体からなる出没干６２とから構成される。出没干６２は、没入時には図７に示すように、ゴルフバッグ本体８０内の仕切り８１の内部に入るようになっているので、ゴルフバッグ内で邪魔にならない。下部シャフト保持部７０は、中央上部にゴルフクラブのグリップ後端を差込保持する凹部が形成されたゴムの板体からなる支持皿７１と、支持皿７１をバッグ本体８０下部に上方向に折りたたみ可能に保持する２本の細長い板体からなる折りたたみ干７２とから構成される。なお、上部シャフト保持部６０と下部シャフト保持部７０とで支持干固定手段が形成される。
【００１６】
次に、このような構成を有するゴルフバッグ用指標保持具Ｙ１及びゴルフバッグＹ２の使用方法について説明する。運搬時には、ゴルフバッグＹ２の上部シャフト保持部６０の出没干６２を縮め、下部シャフト保持部７０の折りたたみ干７２をを上方に折りたたむことで収納状態として、練習場などに持ち込む。なお、運搬の際にゴルフバッグＹ２の上部には、一般的なカバーが固定される。練習場など指標を用いて練習をする場所に着いたら、上部のカバーを外して、好ましい場所にゴルフバッグＹ２を置き、上部シャフト保持部６０、下部シャフト保持部７０を球を打ち出す方向に向け、上部シャフト保持部６０の出没干６２を伸ばし、下部シャフト保持部７０の折りたたみ干７２を前方に倒す。この状態で、適当なゴルフクラブＣをゴルフバッグＹ２から取り出して、下部シャフト保持部７０の保持皿７１のくぼみに当該ゴルフクラブＣのグリップの後端を差し込むとともに、シャフトの側面を上部シャフト保持部６０の保持部本体６１の切り欠きに押し付けて、内部に挿入して固定する。これにより、図５、６の想像線に示すような状態となる。次に、ゴルフバッグ用指標保持具Ｙ１を取り出して、係合部５０の切り欠きから固定されているゴルフクラブのシャフトに押し付けて、係合部５０内にシャフトを入れることでゴルフバッグ用指標保持具Ｙ１を支持干となるゴルフクラブＣに固定する。
【００１７】
その後は、実施形態１にかかるゴルフバッグ用指標保持具Ｘと同様に、棒体保持部２０に指標Ｓを固定する。図８にゴルフバッグＹ２にゴルフバッグ用指標保持具Ｙ１を取り付け、棒体保持部２０の指標Ｓを固定した正面図を示し、図９に同側面図を示す。この状態で、回転部１０の角度を適宜調整する。調整の仕方は実施形態１に係るゴルフバッグ用指標保持具Ｘと同様なので説明は省略する。さらに、係合部５０は、上述したようにゴルフクラブＣのシャフトの長手方向に任意に動かし、固定することができるので、使用者の身長に合わせて係合部５０の位置を変えることで指標Ｓの高さを調整する。以上で、指標の設定が完了するので、使用者は指標を基準にスイング練習を行う。
このように本ゴルフバッグ用指標保持具Ｙ１及びゴルフバッグＹ２は、指標Ｓの高さ調整ができるので、使用者に合わせた指標の位置調整をより柔軟に行うことができる。
なお、図１０に示すようにゴルフクラブシャフトに、２つのゴルフバッグ用指標保持具Ｙ１を固定することで、より指標を認識しやすくしたり、スイングプレーンの許容範囲を示したりするようにできる。
【００１８】
（実施形態３）
図１１に実施形態３に係る指標保持具付きゴルフバッグＺの斜視図を示す。本指標保持具付きゴルフバッグＺは、ゴルフバッグ本体９０と、指標保持具１００とから構成される。ゴルフバッグ本体９０は、一般的なゴルフバッグと同様の構成を有するが、指標保持具１００を固定する部分のみ変更が加えられている。指標保持具１００は、実施形態１に係るゴルフバッグ用指標保持具Ｘの回転部１０及び棒体保持部２０部分と同様の構成をしており、回転部１０の固定軸１１の後端がゴルフバッグ本体９０の側面上端近傍に固定されている。なお、回転部１０及び棒体保持部２０は、ゴルフバッグ本体９０に固定された状態となるので、大きさがやや小さなものになっている。
このような構成を有する指標付きゴルフバッグＺの使用方法は、上部カバーを外した本指標付きゴルフバッグＺを練習場所の適当な位置に固定軸１１が打ち出し方向に向くように設置し、指標を固定する。ここでの指標は実施形態１、２に係るものよりも細いものが使用される。その後、実施形態１に係るゴルフバッグ用指標保持具Ｘと同様にして回転部１０の角度を調整することで指標の設定が完了するので、指標に基づいてスイング練習を行う。
本指標付きゴルフバッグＺは直接ゴルフバッグに指標を固定する構造が設けられているので、現地で指標固定具を固定し、終了後収納するという手間がかからず、使用者の労力を低減させることができる。
【００１９】
（変形例）
なお、上記各実施形態では、指標を丸棒体により形成したが、指標は様々の材質や様々な構造を有するものに変更してもよい。具体的には、ゴルフクラブを指標に用いたり、ゴルフバッグ内でゴルフクラブを収納するために用いられる網状の筒体を用いたりしてもよい。さらに、指標として細長い合成樹脂シートにより形成される風船とすることもできる。この場合、必要に応じて空気を抜いてたたむことができる。また、硬質な材質の棒体であっても筒体を入れ子に嵌めることで伸縮可能なものとすることもできる。
さらに、指標の数は、ここでは３本用いているが、少なくともスイングプレーンを投影する線分に沿った１本あれば足り、状況に応じて４本以上設けてもよい。
そして、指標の固定も、ここでは有底の筒体内に嵌合する方法を取っているが、筒体を貫通したものとして、指標を中央近傍まで差し込むようにしてもよく、固定方法も狭持やねじによる固定など種々の方法が採用できる。
また、上記実施形態では、指標を棒体保持部と分離するようにしているが、伸縮可能な棒体や風船を用いる場合等指標を小さくできる場合には棒体保持部と分離せずに一体に形成してもよい。
【００２０】
実施形態１や実施形態２におけるゴルフバッグ用指標固定具の固定方法は、一例であってゴルフバッグに適切に固定できればどのような方法を取ってもよい。具体的には、実施形態１に係るゴルフバッグ用指標固定具のようにゴルフバッグに直接固定する場合には、ゴルフバッグ側に被係合手段として貫通孔を設けるとともに、係合部として固定軸の後端にフランジとフランジから突出する雄ねじを設けることで、雄ねじを貫通孔に通して裏側からボルトで固定するような方法を取ることが出来る。このように、ゴルフバッグ側に専用の被係合手段を設けることで、より簡易かつ強固な固定を実現することができる。また、実施形態２に係るゴルフバッグ用指標固定具の場合には、支持干としてゴルフクラブではなく、専用の支持干として予め摺動可能な部材を支持干に設けるとともに、当該部材に専用の被係合手段を設けるようにしてもよい。
同様に実施形態２における支持干（ゴルフクラブ）の固定方法や固定構造も適宜変更することができ、さらに、固定構造の折りたたみ収納構造も種々の物が採用できる。また、支持干を保持したままゴルフバッグ側に折りたたんで収納できるようにしてもよい。
【００２１】
上記各実施形態では、指標の角度を目盛と基準表記とから実際の角度を目視して測るようにしているが、角度の表示も種々のものが採用できる。具体的には、ポテンショメータや、磁気式や光学式のエンコーダーを用いて角度を電気信号に変換し、液晶表示板やＬＥＤ表示板に表示させるようにしたり、回転軸と回転筒との間に歯車を設け、角度変化を角度を表記する回転盤の動きに機械的に変換することで角度を示したりする等の方法を採用することができる。
【００２２】
また、本発明はゴルフバッグを立てた状態で利用するのでゴルフバッグに転倒防止用の脚を設けるようにしてもよい。脚はゴルフバッグ本体に折りたたみ可能に固定されていてもよく、また、着脱可能に形成してもよい。実施形態２のように支持干が設けられる場合には、支持干に脚を固定することもできる。
【図面の簡単な説明】
【００２３】
【図１】実施形態１に係るゴルフバッグ用指標保持具の斜視図である。
【図２】ゴルフバッグに実施形態１に係るゴルフバッグ用指標保持具を取り付け指標を固定した状態を示す正面図である。
【図３】ゴルフバッグに実施形態１に係るゴルフバッグ用指標保持具を取り付け指標を固定した状態を示す側面図である。
【図４】実施形態２に係るゴルフバッグ用指標保持具の斜視図である。
【図５】実施形態２に係るゴルフバッグの側面図である。
【図６】実施形態２に係るゴルフバッグの正面図である。
【図７】実施形態２に係るゴルフバッグの平面図である。
【図８】支持干を取付けた実施形態２に係るゴルフバッグに実施形態２に係るゴルフバッグ用指標保持具を取付け、指標を固定した状態を示す正面図である。
【図９】支持干を取付けた実施形態２に係るゴルフバッグに実施形態２に係るゴルフバッグ用指標保持具を取付け、指標を固定した状態を示す側面図である。
【図１０】支持干を取付けた実施形態２に係るゴルフバッグに実施形態２に係るゴルフバッグ用保持具を２つ取り付けた状態を示す正面図である。
【図１１】実施形態３に係る指標保持具付きゴルフバッグＺの斜視図である。
【符号の説明】
【００２４】
Ｘ、Ｙ１  ゴルフバッグ用指標保持具
Ｂ、Ｙ２  ゴルフバッグ
Ｚ        指標保持具付きゴルフバッグ
１０      回転部
１１      固定軸
１２      第１回転筒
１３      第２回転筒
２０      棒体保持部
２１      第１棒体保持部
２２      第２棒体保持部
３０、５０  係合部
６０      上部シャフト保持部
７０      下部シャフト保持部
１００    指標保持具
【図１】
2009118963.tif 000003
【図２】
2009118963.tif 000004
【図３】
2009118963.tif 000005
【図４】
2009118963.tif 000006
【図５】
2009118963.tif 000007
【図６】
2009118963.tif 000008
【図７】
2009118963.tif 000009
【図８】
2009118963.tif 000010
【図９】
2009118963.tif 000011
【図１０】
2009118963.tif 000012
【図１１】
2009118963.tif 000013